(57)【特許請求の範囲】
【請求項１】
光源と、
内部に前記光源が配置される光源配置部と、前記光源配置部を囲む溝を含む区画規定部と、を有する導光部材と、
前記区画規定部に配置され、光反射性の区画部材と、
を備え、
平面視において、前記区画規定部における前記光源の中心から最も遠い第１部分の、前記光源から前記第１部分に向かう方向における透過率は、前記区画規定部における前記光源の中心から最も近い第２部分の、前記光源から前記第２部分に向かう方向における透過率よりも高い、面状光源。
【請求項２】
前記第１部分おける前記区画部材の断面積は、前記第２部分における前記区画部材の断面積よりも小さい請求項１に記載の面状光源。
【請求項３】
前記第１部分には、前記区画部材が設けられていない請求項１または請求項２に記載の面状光源。
【請求項４】
前記区画規定部は、
第１方向に延びる第１延伸部と、
前記第１方向と交差する第２方向に延びる第２延伸部と、
前記第１延伸部と前記第２延伸部を結合する結合部と、
を有し、
前記第１部分は、前記結合部に位置し、
前記第２部分は、前記第１延伸部又は前記第２延伸部に位置する請求項１〜３のいずれか１つに記載の面状光源。
【請求項５】
前記結合部には、前記区画部材が設けられていない請求項４に記載の面状光源。
【請求項６】
前記第１延伸部における前記溝の側面と前記第２延伸部における前記溝の側面とを接続する前記結合部における溝の側面は、平面視において湾曲している請求項４または５に記載の面状光源。
【請求項７】
前記第１部分の断面における前記溝の深さは、前記第２部分の断面における前記溝の深さよりも小さい請求項１〜６のいずれか１つに記載の面状光源。
【請求項８】
前記第１部分の断面における前記溝の対向する側面同士の距離は、前記第２部分の断面における前記溝の対向する側面同士の距離よりも小さい請求項１〜７のいずれか１つに記載の面状光源。
【請求項９】
前記第１部分における溝の断面積は、前記第２部分における溝の断面積よりも小さい請求項１〜８のいずれか１つに記載の面状光源。
【請求項１０】
前記第１部分には、前記溝が設けられていない、請求項１〜９のいずれか１つに記載の面状光源。
【請求項１１】
前記区画規定部の溝は、互いに対向する第１側面及び第２側面を有し、
前記区画部材は、
前記第１側面上に、複数の第１隙間を設けて配列された第１光反射部と、
前記第２側面上に、複数の第２隙間を設けて配列された第２光反射部と、
を有し、
前記複数の第１隙間は、前記第２光反射部に対向し、
前記複数の第２隙間は、前記第１光反射部に対向している請求項１〜１０のいずれか１つに記載の面状光源。
【請求項１２】
光源と、
前記光源を囲み、光反射性の区画部材を有する外周部と、
を備え、
前記光源は、導光部材によって覆われており、
平面視において、前記外周部における前記光源の中心から最も遠い第１部分の、前記光源から前記第１部分に向かう方向における透過率は、前記外周部における前記光源の中心から最も近い第２部分の、前記光源から前記第２部分に向かう方向における透過率よりも高い、面状光源。
【請求項１３】
前記外周部において、前記第１部分には、前記区画部材が設けられていない請求項１２に記載の面状光源。
【発明の詳細な説明】
【技術分野】
【０００１】
実施形態は、面状光源に関する。
【背景技術】
【０００２】
光源と、導光板と、を組み合わせた面状光源は、例えば液晶ディスプレイのバックライトに広く利用されている。特許文献１には、光源ごとに発光領域を区画するために、導光板に溝を設け、この溝に反射部材を設けることが開示されている。
【先行技術文献】
【特許文献】
【０００３】
【特許文献１】米国特許第７９９７７７１号明細書
【発明の概要】
【発明が解決しようとする課題】
【０００４】
そこで、本実施形態は、発光領域の輝度ムラが抑制される面状光源を提供することを目的とする。
【課題を解決するための手段】
【０００５】
実施形態に係る面状光源は、光源と、内部に前記光源が配置される光源配置部と、前記光源配置部を囲む溝を含む区画規定部と、を有する導光部材と、前記区画規定部に配置され、光反射性の区画部材と、を備え、平面視において、前記区画規定部における前記光源の中心から最も遠い第１部分の透過率は、前記区画規定部における前記光源の中心から最も近い第２部分の透過率よりも高い。
【０００６】
実施形態に係る面状光源は、光源と、前記光源を囲み、光反射性の区画部材を有する外周部と、を備え、前記光源は導光部材によって覆われており、平面視において、前記外周部における前記光源の中心から最も遠い第１部分の透過率は、前記外周部における前記光源の中心から最も近い第２部分の透過率よりも高い。
【発明の効果】
【０００７】
本実施形態によれば、発光領域の輝度ムラが抑制される面状光源を実現できる。
【図面の簡単な説明】
【０００８】
【図１】第１の実施形態に係る面状光源を示す斜視図である。
【図２】第１の実施形態に係る面状光源を拡大した平面図である。
【図３Ａ】図２の３−３線における断面の一の例を示す図である。
【図３Ｂ】図２の３−３線における断面の他の例を示す図である。
【図４Ａ】図２の４−４線における断面の一の例を示す図である。
【図４Ｂ】図２の４−４線における断面の他の例を示す図である。
【図５】図２の４−４線における断面図であって、光源から出射する光の一例を示す断面図である。
【図６】図２の３−３線における断面図であって、光源から出射する光の一例を示す断面図である。
【図７】第１の実施形態の第１の変形例に係る面状光源を示す平面図である。
【図８】第１の実施形態の第２の変形例に係る面状光源を示す平面図である。
【図９】第２の実施形態に係る面状光源を示す平面図である。
【図１０】第３の実施形態に係る面状光源を示す平面図である。
【図１１】図１０の一部を拡大して示す平面図である。
【図１２】図１１の１２−１２線における断面図である。
【図１３】図１１の１３−１３線における断面図である。
【図１４】図１１の１４−１４線における断面図である。
【図１５】第４の実施形態に係る面状光源を示す平面図である。
【図１６】図１５の１６−１６線における断面図である。
【図１７】第４の実施形態の変形例に係る面状光源を示す平面図である。
【図１８Ａ】図１７の１８Ａ−１８Ａ線における断面図である。
【図１８Ｂ】図１６の１８Ｂ−１８Ｂ線における断面図である。
【発明を実施するための形態】
【０００９】
以下、説明の便宜上、本明細書においては、ＸＹＺ直交座標系を採用する。例えば図１に示すように、配線基板１１０から導光部材１２０に向かう方向を「Ｚ方向」という。また、Ｚ方向を「上方向」ともいう。また、Ｚ方向の反対方向を「下方向」ともいう。Ｚ方向と直交する一の方向を「Ｘ方向」という。また、Ｚ方向及びＸ方向と直交する方向を「Ｙ方向」という。
【００１０】
＜第１の実施形態＞
先ず、第１の実施形態に係る面状光源１００について説明する。
図１は、本実施形態に係る面状光源を示す斜視図である。
図２は、本実施形態に係る面状光源を拡大した平面図である。
図３Ａは、図２の３−３線における断面の一の例を示す図である。
図３Ｂは、図２の３−３線における断面の他の例を示す図である。
図４Ａは、図２の４−４線における断面の一の例を示す図である。
図４Ｂは、図２の４−４線における断面の他の例を示す図である。
【００１１】
図１に示すように、面状光源１００は、一枚の配線基板１１０と、導光部材１２０と、光源１３０と、光反射性の区画部材１４０と、を備える。面状光源１００は、図３Ａ及び図４Ａに示すように、光反射性部材１５０と、第１透光性部材１６０と、第１光調整部材１７０と、を更に備える。面状光源１００は、光反射性シート１８０と、接着シート１９０と、を更に備える。なお、光反射性の区画部材１４０は、単に「区画部材１４０」という場合もある。
【００１２】
以下、面状光源１００の各部について詳述する。以下では、図１に示すように、面状光源１００において複数の光源１３０がＸ方向及びＹ方向に配列されている例を説明する。ただし、配列する光源１３０の数は、１以上であればよく、図１に示す数に限定されない。また、以下では、面状光源１００において、一枚の配線基板１１０上に、光源１３０と同じ数の光源配置部１２１を有する一枚の導光部材１２０が配置されている例を説明する。ただし、面状光源１００において、一枚の配線基板１１０上に、配線基板１１０よりも平面視におけるサイズが小さい導光部材を複数並べるように配置してもよい。サイズが大きい面状光源が必要な場合は、面状光源１００を複数並べた面状光源装置を作成してもよい。
【００１３】
図３Ａ及び図４Ａに示すように、配線基板１１０は、配線層１１１と、配線層１１１の上面を覆い、樹脂材料からなる第１被覆層１１２と、配線層１１１の下面を覆い、樹脂材料からなる第２被覆層１１３と、を有する。配線層１１１の上面において、光源１３０の電極１３１ｂ、１３１ｃと導電性の接合部材１３５を介して接続する領域に、パッド１１４を設けても良い。パッド１１４は、例えば、Ｎｉ層とＡｕ層で構成されるめっき層とすることができる。
【００１４】
配線基板１１０の構成はこれに限定されない。例えば、配線層１１１と被覆層１１２、１１３との間には接着層（図示省略）が設けられていてもよい。また、図３Ａ及び図４Ａでは、配線層１１１が一層である例を示しているが、配線層１１１は第１被覆層１１２と第２被覆層１１３との間で、Ｚ方向に複数設けられていてもよい。また、配線層１１１がＺ方向に複数設けられている場合、Ｚ方向に隣り合う２つの配線層１１１の間に絶縁層及び接着層を設けてもよい。
【００１５】
配線基板１１０の表面は、上面１１０ａと、下面１１０ｂと、を含む。上面１１０ａ及び下面１１０ｂは、例えば平坦面であり、Ｘ方向及びＹ方向に略平行である。
【００１６】
配線基板１１０の上方には、導光部材１２０が設けられている。導光部材１２０は、光源１３０から出射した光に対する透光性を有する。導光部材１２０の材料としては、例えば、アクリル、ポリカーボネート、環状ポリオレフィン、ポリエチレンテレフタレート、ポリエステル等の熱可塑性樹脂、エポキシ、又はシリコーン等の熱硬化性樹脂、又はガラス等を用いることができる。
【００１７】
図１に示すように、導光部材１２０は、例えば板状の部材である。ただし、導光部材１２０は板状の部材ではなく層であってもよい。導光部材１２０が層である場合、導光部材１２０は、単層であってもよいし、複数層であってもよい。導光部材１２０を複数層で構成する場合、各層間を透光性の接着シートで貼り合せて構成することもできる。透光性の接着シートの材料としては、層間に界面が生じるのを軽減できるように、導光部材１２０と同じ材料を用いるのが好ましい。
【００１８】
導光部材１２０の表面は、上面１２０ａと、上面１２０ａの反対側に位置する下面１２０ｂと、を含む。上面１２０ａ及び下面１２０ｂは、例えば平坦面であり、配線基板１１０の上面１１０ａに略平行である。
【００１９】
導光部材１２０には、光源配置部１２１が設けられている。図３Ａ及び図４Ａに示すように、光源配置部１２１は、導光部材１２０を厚み方向（Ｚ方向）に貫通している。ただし、光源配置部１２１は、導光部材１２０の下面１２０ｂに設けられた凹部であってもよい。光源配置部１２１の平面視での形状は、図２に示すように、円形にしてもよいし、矩形にしてもよい。矩形の場合は、矩形の角部は直角であってもよいし、曲線であってもよい。
【００２０】
光源配置部１２１には、光源１３０が配置されている。光源１３０は、配線基板１１０の上面１１０ａに載置されている。光源１３０は、例えば、発光素子１３１と、第２透光性部材１３２と、第２光調整部材１３３と、被覆部材１３４と、を有する。
【００２１】
発光素子１３１は、発光部１３１ａと、正負の一対の電極１３１ｂ、１３１ｃと、を有する。発光部１３１ａは、例えば、半導体成長用基板と半導体積層構造とを含み、半導体成長用基板は、半導体積層構造の上側に位置する。半導体積層構造は、ＩｎｘＡｌｙＧａ１−ｘ−ｙＮ（０≦ｘ、０≦ｙ、ｘ＋ｙ≦１）層を含み、発光素子１３１から青色光を出射する。各電極１３１ｂ、１３１ｃは、導電性の接合部材１３５により、配線基板１１０に接合されている。
【００２２】
発光部１３１ａは、ｎ型半導体層およびｐ型半導体層と、これらに挟まれた発光層とを含む。発光層は、ダブルヘテロ接合または単一量子井戸(ＳＱＷ)等の構造を有していてもよいし、多重量子井戸(ＭＱＷ)のようにひとかたまりの活性層群をもつ構造を有していてもよい。発光部１３１ａは、可視光または紫外光を発光可能に構成されている。このような発光層を含む発光部１３１ａは、例えばＩｎxＡｌyＧａ1-x-yＮ（０≦ｘ、０≦ｙ、ｘ＋ｙ≦１）を含むことができる。
【００２３】
発光部１３１ａは、ｎ型半導体層とｐ型半導体層との間に１つ以上の発光層を含む構造を有していてもよいし、ｎ型半導体層と発光層とｐ型半導体層とを順に含む構造が複数回繰り返された構造を有していてもよい。発光部１３１ａが複数の発光層を含む場合、発光ピーク波長が異なる発光層を含んでいてもよいし、発光ピーク波長が同じ発光層を含んでいてもよい。なお、発光ピーク波長が同じとは、数ｎｍ程度のばらつきがある場合も含む。複数の発光層の間の発光ピーク波長の組み合わせは、適宜選択することができる。例えば発光部１３１ａが２つの発光層を含む場合、青色光と青色光、緑色光と緑色光、赤色光と赤色光、紫外光と紫外光、青色光と緑色光、青色光と赤色光、または、緑色光と赤色光などの組み合わせで発光層を選択することができる。各発光層は、発光ピーク波長が異なる複数の活性層を含んでいてもよいし、発光ピーク波長が同じ複数の活性層を含んでいてもよい。
【００２４】
第２透光性部材１３２は、例えば発光部１３１ａの上面及び側面を覆っている。第２透光性部材１３２は、発光部１３１ａが出射する光に対する透光性を有する。第２透光性部材１３２は、例えば、透光性材料からなる母材と、母材中に分散された複数の波長変換粒子と、を含む。
【００２５】
母材の材料としては、例えば、シリコーン樹脂、エポキシ樹脂、ガラスなどを用いることができる。波長変換粒子としては、例えば蛍光体を用いることができる。蛍光体は、発光素子１３１が発する光によって励起され、発光素子１３１が発する光の波長とは異なる波長の光を発する。例えば、蛍光体として、イットリウム・アルミニウム・ガーネット（ＹＡＧ）系蛍光体（例えば、Ｙ３（Ａｌ，Ｇａ）５Ｏ１２：Ｃｅ）、βサイアロン蛍光体（例えば、（Ｓｉ，Ａｌ）３（Ｏ，Ｎ）４：Ｅｕ）、ルテチウム・アルミニウム・ガーネット系蛍光体（例えば、Ｌｕ３（Ａｌ，Ｇａ）５Ｏ１２：Ｃｅ）、テルビウム・アルミニウム・ガーネット系蛍光体（例えば、Ｔｂ３（Ａｌ，Ｇａ）５Ｏ１２：Ｃｅ））、α系サイアロン蛍光体（例えば、Ｃａ（Ｓｉ，Ａｌ）１２（Ｏ，Ｎ）１６：Ｅｕ）、ＫＳＦ系蛍光体（例えば、Ｋ２ＳｉＦ６：Ｍｎ）、ＫＳＡＦ系蛍光体（例えば、Ｋ２（Ｓｉ，Ａｌ）Ｆ６：Ｍｎ）又はＭＧＦ系蛍光体等のフッ化物系蛍光体、窒化物蛍光体（ＣＡＳＮ系蛍光体（例えば、ＣａＡｌＳｉＮ３：Ｅｕ）若しくはＳＣＡＳＮ系蛍光体（例えば、（Ｓｒ，Ｃａ）ＡｌＳｉＮ３：Ｅｕ）等）、ペロブスカイト構造を有する蛍光体（例えば、ＣｓＰｂ（Ｆ，Ｃｌ，Ｂｒ，Ｉ）３）、量子ドット蛍光体（例えば、ＣｄＳｅ、ＩｎＰ、ＡｇＩｎＳ２又はＡｇＩｎＳｅ２）などを用いることができる。なお、第２透光性部材１３２は、複数種類の蛍光体を含んでいてもよい。第２透光性部材１３２に含有される蛍光体と、青色光を発する発光素子１３１との組み合わせによって光源１３０から白色光を放出することができる。また、第２透光性部材１３２に蛍光体が含まれていない場合は、発光素子からの青色光を光源１３０からの光として放出することができる。
【００２６】
第２光調整部材１３３は、発光素子１３１から出射する光の一部を反射し、発光素子１３１から出射する光の他の一部を透過する。第２光調整部材１３３は、第２透光性部材１３２の上面を覆っている。第２光調整部材１３３は、例えば、光反射性材料を含む樹脂である。具体的には、第２光調整部材１３３としては、光反射性材料として酸化チタンを含むシリコーン樹脂又はエポキシ樹脂等を用いることができる。第２光調整部材１３３は、一層でもよいし、二層以上であってもよい。
【００２７】
被覆部材１３４は、第２透光性部材１３２の下面及び発光部１３１ａの下面を覆っている。被覆部材１３４は、例えば、光反射性材料を含む樹脂である。具体的には、被覆部材１３４としては、光反射性材料として酸化チタンを含むシリコーン樹脂又はエポキシ樹脂等を用いることができる。
【００２８】
図２に示すように、平面視における光源１３０の形状は、例えば四角形である。以下、平面視における光源１３０の中心Ｃを単に「中心Ｃ」ともいう。本実施形態では、中心Ｃは、平面視において光源１３０の対角線の交点に位置する。また、中心Ｃは、平面視において光源配置部１２１の中心と概ね一致している。
【００２９】
光源１３０は、第２光調整部材１３３を設けない構成でもよい。また、光源１３０は、被覆部材１３４を設けない構成でもよい。また、光源１３０は、発光素子１３１のみの構成でもよいし、発光素子１３１上面に第２光調整部材１３３を設けた構成でもよい。
【００３０】
光源１３０は、発光素子１３１の側面を囲う光反射性材料を含む樹脂と、発光素子１３１の上面及び光反射性材料を含む樹脂の上面を覆う透光性部材とを含む構成でもよい。この透光性部材は、蛍光体を含んでもよい。この場合、発光素子１３１と透光性部材との間には、発光素子１３１と透光性部材とを接着する透光性の接合部材が設けられてもよい。
【００３１】
上述した光源１３０には、発光素子１３１は１つであるが、複数の発光素子を含んでも良い。複数の発光素子は、ピーク波長が同じものでもよいし、異なるものでもよい。ピーク波長が異なるものの組み合わせとして、例えば、赤色光を発する発光素子、青色光を発する発光素子、及び、緑色を発する発光素子を用いることができる。
【００３２】
図２の４−４線の断面図（図４Ａ、図４Ｂ）において、光源１３０のＸ方向の幅は、７００μｍ以上１０００μｍ以下とすることができ、光源１３０のＺ方向の厚さは、３００μｍ以上４００μｍ以下とすることができる。これにより、光源１３０を薄型にすることができる。光源１３０の厚さと幅の比を０．４以上にすることで薄型化に伴う光取り出し効率の低下を抑制することができる。
【００３３】
また、発光素子１３１のＸ方向の幅は、３５０μｍ以上５５０μｍ以下とすることができ、発光素子１３１の発光部１３１ａのＺ方向の厚さは、１００μｍ以上２００μｍ以下とすることができる。第２透光性部材１３２において、発光素子１３１の発光部１３１ａの側面から第２透光性部材１３２の側面までのＸ方向の幅は、７５μｍ以上３２５μｍ以下とすることができる。この幅は、より好ましくは、１５０μｍ以上２５０μｍ以下とするのがよい。この幅は、さらにより好ましくは、１８０μｍ以上２１０μｍ以下とするのがよい。これにより、光源１３０の中心Ｃからのずれに対する発光素子１３１の発光部１３１ａの側面から第２透光性部材１３２の側面までのＸ方向に幅を大きくすることができる。そのため、発光素子１３１が光源１３０の中心ＣからＸ方向にずれていたとしても発光素子１３１の両側面から出射される光の色度差を小さくすることができる。また、発光部１３１ａの上面から第２透光性部材１３２の上面までのＺ方向の厚さは、１５μｍ以上２１５μｍ以下とすることができる。この厚さは、より好ましくは、５０μｍ以上１５０μｍ以下とするのがよい。この厚さは、さらにより好ましくは９０μｍ以上１２０μｍ以下とするのがよい。これにより、薄型でありながら、光源１３０の側方から出射可能な領域を確保できるため、発光素子１３１からの光取り出し効率が向上する。
【００３４】
導光部材１２０には、平面視において光源配置部１２１を囲むように溝１２２が設けられている。
【００３５】
図３Ａ及び図４Ａに示すように、溝１２２は、例えば上面１２０ａに設けられた凹部である。溝１２２の断面形状は、台形状ある。具体的には、溝１２２は、Ｚ方向に対して傾斜し、互いに対向する一対の側面１２６ａ、１２６ｂと、一対の側面１２６ａ、１２６ｂの間に位置する底面１２６ｃと、を有する。一対の側面１２６ａ、１２６ｂのそれぞれが傾斜していることで、光源１３０からの光のうち導光部材１２０の下面１２０ｂで反射してきた光が通過しやすくなる。光が透過しやすくなるのは、一対の側面１２６ａ、１２６ｂのそれぞれが傾斜している場合、溝における一対の側面のそれぞれが垂直の場合と比べて、光源１３０からの光のうち導光部材１２０の下面１２０ｂで反射した光が溝１２２の側面１２６ａ、１２６ｂに入射する入射角が小さくなるからである。一対の側面１２６ａ、１２６ｂのそれぞれと底面１２６ｃとを接続する面は、曲面となっている。ただし、溝１２２の断面形状は、これに限定されない。例えば溝１２２の断面形状は、矩形であってもよいし、略Ｖ字状や略Ｕ字状であってもよいし、開口部側が狭まった形状であってもよい。また、溝１２２は、導光部材１２０をＺ方向に貫通してもよいし、導光部材１２０の下面１２０ｂに設けられた凹部であってもよい。
【００３６】
また、図３Ｂ及び図４Ｂに示すように、溝１２２が導光部材１２０をＺ方向に貫通している場合、光反射性シート１８０において溝１２２の直下に位置する領域には、凹部１８１が設けられていてもよい。そして、溝１２２の側面と凹部１８１の側面は、面一であってもよい。すなわち、導光部材１２０をＺ方向に貫通する溝１２２と凹部１８１とによって、導光部材１２０から光反射性シート１８０に亘って一つの溝が形成されていてもよい。
図４Ｂでは、区画部材１４０を溝１２２から凹部１８１に亘って充填しているが、これに限定されず、溝１２２及び凹部１８１の各表面を層状に被覆してもよい。
【００３７】
面状光源１００における配線層１１１のパターンは、平面視において溝１２２と重なる面積を減らすように形成されるのが好ましい。具体的には、配線層１１１が溝１２２の延伸部と平面視において同一方向で重なるように配置するより、配線層１１１と溝１２２の延伸部とが平面視において交差するように配置されるのが好ましい。これにより、ダイシングソー等の切削具で溝１２２を形成する際、配線層１１１が傷つくリスクを低減することができる。
【００３８】
図２に示すように、面状光源１００において溝１２２は、例えば格子状に設けられている。そのため、導光部材１２０の上面１２０ａが、溝１２２によって複数の発光領域Ｓに区画される。各発光領域Ｓの形状は、例えば光源１３０の形状と相似であり、四角形である。平面視において中心Ｃは、発光領域Ｓの対角線の交点に位置する。ただし、溝１２２は格子状に設けられていなくてもよいし、各発光領域Ｓの形状は四角形でなくてもよい。例えば、溝１２２は、各発光領域Ｓが三角形又は六角形等の多角形となるように設けられていてもよい。また、中心Ｃは、発光領域Ｓの対角線の交点に位置していなくてもよい。以下、発光領域Ｓの対角線が延びる方向を「対角方向Ｗ」ともいう。対角方向Ｗは、図２の場合では、ＸＹ平面で、Ｘ方向（又はＹ方向）から４５度傾いた方向である。
【００３９】
溝１２２は、一つの光源１３０の周囲に、例えばＹ方向に延びる２つの第１溝部１２２ａと、Ｘ方向に延びる２つの第２溝部１２２ｂと、第１溝部１２２ａと第２溝部１２２ｂを結合する４つの結合溝部１２２ｃと、を有する。
【００４０】
以下、導光部材１２０において溝１２２を含み、平面視において発光領域Ｓを囲む部分を「区画規定部１２３」という。本実施形態では、溝１２２は、発光領域Ｓを連続的に囲み、導光部材１２０の上面１２０ａに設けられた凹部である。そのため、区画規定部１２３は、図３Ａ及び図４Ａに示すように、溝１２２と導光部材１２０において溝１２２の直下に位置する部分と、からなる。
【００４１】
なお、溝１２２が発光領域Ｓを連続的に囲み、導光部材１２０の下面１２０ｂに設けられた凹部である場合、区画規定部１２３は、溝１２２と、導光部材１２０において溝１２２の直上に位置する部分と、からなる。また、溝１２２が発光領域Ｓを連続的に囲み、導光部材１２０を厚み方向に貫通している場合、区画規定部１２３は、溝１２２からなる。なお、溝が発光領域を連続的に囲まない形態については、後述する第２の実施形態で説明する。
【００４２】
図２に示すように、区画規定部１２３は、第１延伸部１２３ａと、第２延伸部１２３ｂと、結合部１２３ｃと、を有する。第１延伸部１２３ａはＹ方向に延伸し、第２延伸部１２３ｂはＸ方向に延伸する。結合部１２３ｃは、第１延伸部１２３ａと第２延伸部１２３ｂとに結合し、Ｘ方向及びＹ方向に延伸した部分（一つの区画規定部１２３では、図２に示すようなＬ字状であり、区画規定部１２３が複数配列する場合では、十字状）である。なお、結合部１２３ｃは、第１延伸部１２３ａと第２延伸部１２３ｂのそれぞれが仮想的に延長して重なった矩形状の部分とすることもできる。
【００４３】
第１延伸部１２３ａは、第１溝部１２２ａ及び導光部材１２０において第１溝部１２２ａの直下の部分からなる。第２延伸部１２３ｂは、第２溝部１２２ｂ及び導光部材１２０において第２溝部１２２ｂの直下の部分からなる。結合部１２３ｃは、結合溝部１２２ｃ及び導光部材１２０において結合溝部１２２ｃの直下の部分からなる。
【００４４】
また、区画規定部１２３は、中心Ｃから最も遠い第１部分１２４と、中心Ｃから最も近い第２部分１２５と、を有する。
【００４５】
区画規定部１２３において中心Ｃから最も遠い位置Ｐ１は、結合部１２３ｃに位置する。より具体的には、最も遠い位置Ｐ１は、平面視において対角方向Ｗにおいて隣接する他の面状光源１００の発光領域Ｓの角Ｓｃに位置する。したがって、第１部分１２４は、区画規定部１２３のうち、最も遠い位置Ｐ１を含み、対角方向Ｗ及びＺ方向と直交する方向に厚みを有する部分である。
【００４６】
区画規定部１２３において中心Ｃから最も近い位置Ｐ２は、例えば、第１延伸部１２３ａ又は第２延伸部１２３ｂに位置する。より具体的には、最も近い位置Ｐ２は、平面視において発光領域Ｓの外周縁上であって、平面視において中心Ｃを通るＸ方向（又はＹ方向）に平行な直線上に位置する。第２部分１２５は、区画規定部１２３のうち、最も近い位置Ｐ２を含み、Ｙ方向に厚みを有する部分である。
【００４７】
区画規定部１２３の溝１２２には、光反射性の区画部材１４０が設けられている。なお、図２では、説明をわかりやすくするために、区画部材１４０が設けられている範囲を、ドットのパターンで示している。区画部材１４０は、例えば、光反射性材料を含む樹脂である。具体的には、区画部材１４０としては、光反射性材料として酸化チタンを含むシリコーン樹脂又はエポキシ樹脂等を用いることができる。酸化チタンの含有量は、１重量％以上７０重量％以下にすることができる。区画部材１４０は、印刷法、スプレー法、インクジェット法やポッティング法で形成することができる。インクジェット法であれば、区画部材１４０の配置を精度よく行うことができる。
【００４８】
ポッティング法の場合、隣接する結合溝部１２２ｃ間の中点の領域（すなわち、第１溝部１２２ａ又は第２溝部１２２ｂにおける光源の中心からＸ方向又はＹ方向に延伸する直線と交差する領域）に区画部材１４０の原料をポッティングすることができる。区画部材１４０の原料が粒子状の光反射性材料と液状の樹脂とを含む場合、樹脂の粘度を低くすることで、ポッティング後の樹脂を第１溝部１２２ａ又は第２溝部１２２ｂ内で塗広げることができる。また、樹脂の粘度が低いことで、光反射性材料は沈みやすくなり、分散しにくくなる。これにより、ポッティングした領域（すなわち、隣接する結合溝部１２２ｃ間の中点付近）における光反射性材料の濃度を結合溝部１２２ｃの領域における光反射性材料の濃度より高くすることができる。区画部材１４０を所定の領域に配置するために、区画部材１４０を配置しない領域にマスクを設けることができる。
【００４９】
なお、区画部材１４０は、第１溝部１２２ａ及び第２溝部１２２ｂの延伸方向の中央で導光部材１２０の上面１２０ａを被覆することができる。結合溝部１２２ｃ間の中点の領域の輝度が、結合溝部１２２ｃ間の中点の領域以外（例えば、結合溝部１２２ｃの領域）の輝度より高い場合、隣接する結合溝部１２２ｃ間の中点の領域で導光部材の上面に区画部材１４０を配置することで、輝度を抑えることができる。一方、第１溝部１２２ａ及び第２溝部１２２ｂの延伸方向の端部では、区画部材１４０が導光部材１２０の上面１２０ａを被覆してもよいし、被覆しなくてもよい。また、区画部材１４０が導光部材１２０の上面１２０ａを被覆する幅は、第１溝部及び第２溝部の延伸方向の中央から端部に向かって同じでもよいし、徐々に又は段階的に狭くなってもよい。区画部材１４０が導光部材１２０の上面１２０ａを被覆する幅は、隣接する第１溝部１２２ａ間の間隔（又は隣接する第２溝部１２２ｂ間の間隔）の１０分の１以内の値とすることができる。
【００５０】
本実施形態では、第１部分１２４における区画部材１４０の断面積が第２部分１２５における区画部材１４０の断面積よりも小さい。「第１部分１２４における区画部材１４０の断面積」とは、中心Ｃと光源から最も遠い位置Ｐ１とを含む断面（図２の３−３線における断面）における区画部材１４０の面積を意味する。同様に、「第２部分１２５における区画部材１４０の断面積」とは、中心Ｃと光源から最も近い位置Ｐ２とを含む断面（図２の４−４線における断面）における区画部材１４０の面積を意味する。「断面積が小さい」とは、第１部分１２４における区画部材１４０の断面積が０（ゼロ）である場合を含む。
【００５１】
具体的には、図２に示すように、区画部材１４０は、第１延伸部１２３ａに対応する第１溝部１２２ａ及び第２延伸部１２３ｂに対応する第２溝部１２２ｂに設けられている。そのため、図４Ａに示すように、第２部分１２５における溝１２２には、区画部材１４０が設けられている。区画部材１４０は、第２部分１２５における溝１２２を埋め尽くすように充填されてもよい。区画部材１４０を溝１２２に充填することで、光反射性を向上させることができる。区画部材１４０を充填する場合、区画部材１４０の上面は、平面、凸面、及び凹面のいずれであってもよい。区画部材１４０は、第１溝部１２２ａのＹ方向の全域及び第２溝部１２２ｂのＸ方向の全域に設けられていてもよい。区画部材１４０は、断面視において第１溝部１２２ａ又は第２溝部１２２ｂの表面を層状に覆ってもよい。区画部材１４０を層状に設けることで、一部の光を透過させることができる。区画部材１４０を層状に設ける場合、溝１２２の底面１２６ｃに設けられる区画部材１４０は、溝１２２の側面１２６ａ、１２６ｂに設けられる区画部材１４０より厚くてもよい。また、区画部材１４０は、導光部材１２０の上面１２０ａよりも上方に突出していてもよい。
【００５２】
これに対して図２に示すように、結合溝部１２２ｃ内には、区画部材１４０が設けられていない。すなわち、結合部１２３ｃに対応する結合溝部１２２ｃ上には、区画部材１４０が設けられておらず、区画規定部１２３における結合部１２３ｃは導光部材１２０のみで構成される。図３Ａに示すように、結合溝部１２２ｃ内には、例えば空気層Ｋが存在し、結合溝部１２２ｃの表面の全域が空気層Ｋと接している。このように、第１部分１２４に設けられる区画部材１４０の断面積は、０（ゼロ）であり、第２部分１２５に設けられた区画部材１４０の断面積よりも小さい。ただし、第１部分１２４の区画部材１４０の断面積が第２部分１２５の区画部材１４０の断面積よりも小さければよく、第１部分１２４に区画部材１４０が設けられていてもよい。なお、第１部分１２４において、導光部材１２０の溝１２２表面に光源１３０からの光が透過するのを妨げないような反射防止膜を被覆してもよい。反射防止膜は、例えば、シリコーンを用いることができる。
【００５３】
このように、第１部分１２４における溝１２２に設けられた区画部材１４０の断面積が第２部分１２５における溝１２２に設けられた区画部材１４０の断面積よりも小さい。そのため、第１部分１２４の透過率は、第２部分１２５の透過率よりも高い。「第１部分１２４の透過率」とは、Ｚ方向と直交する方向において中心Ｃ側から最も遠い位置Ｐ１側に向かって進行する光ＬＡが、第１部分１２４を通過する割合である。同様に、「第２部分１２５の透過率」とは、Ｚ方向と直交する方向において中心Ｃ側から最も近い位置Ｐ２側に向かって進行する光ＬＢが、第２部分１２５を通過する割合である。
【００５４】
なお、第１部分１２４と第２部分１２５の両方に、区画部材１４０が配置される場合、第１部分１２４の透過率を第２部分１２５より高くするために、第１部分１２４の区画部材１４０に含まれる光反射性材料の濃度を、第２部分１２５の区画部材１４０に含まれる光反射性材料の濃度より小さくしてもよい。
【００５５】
また、区画部材１４０は、Ｙ方向の端部における透過率が、Ｙ方向の中央の透過率より大きく、第１延伸部１２３ａに設けられていてもよい。区画部材１４０は、Ｙ方向の中央で、塗布量を多くする又は光反射材料の濃度を高くし、Ｙ方向の端部で、塗布量を少なくする又は光反射材料の濃度を低くすることができる。区画部材１４０は、Ｙ方向の中央からＹ方向の端部に向かって、連続的あるいは段階的に、塗布量を少なくする又は光反射性材料の濃度を低くしてもよい。第２延伸部１２３ｂも同様である。
【００５６】
導光部材１２０に光源配置部１２１を囲む溝１２２を設け、溝１２２内に区画部材１４０を設けることで、発光領域Ｓを区画することができる。しかしながら、光源１３０の中心Ｃから最も遠い第１部分１２４は、光源１３０からの距離が長くなるため、中心Ｃから最も近い第２部分１２５と比較して暗くなり易い。そのため、例えば、溝１２２内を一律に区画部材１４０で充填した場合、中心Ｃから最も遠い第１部分１２４の近辺は暗いままであり、暗部として目立ってしまう。特に、一の第１部分１２４と隣り合う４つ発光領域Ｓに位置する光源１３０を同時に点灯させた場合、上述した一の第１部分１２４が暗部としてより一層目立ちやすい。
【００５７】
これに対し、本実施形態では、光源１３０から最も遠い第１部分１２４の透過率は、光源１３０から最も近い第２部分１２５の透過率よりも高い。第１部分１２４の透過率を高めることで、第１部分１２４を通過する光を増やすことができるので、第１部分１２４の近辺を明るくすることができる。これにより、第１部分１２４の近辺が暗部として目立つことを抑制でき、発光領域の輝度ムラが抑制される面状光源が得られる。特に、隣り合う４つの発光領域Ｓを二次元配置した場合、一の第１部分１２４と隣り合う４つ発光領域Ｓに位置する光源１３０を同時に点灯する場合に暗部として目立つことを効果的に抑制でき、発光領域の輝度ムラが抑制される面状光源が得られる。
【００５８】
図３Ａに示すように、配線基板１１０と導光部材１２０との間には、光反射性シート１８０が設けられている。光反射性シート１８０は、光源１３０から出射する光の一部を反射する。光反射性シート１８０には、多数のボイドを含む樹脂シート（例えば発泡樹脂シート）や、酸化チタン等の光反射性材料を含む樹脂シート等を用いることができる。光反射性シート１８０には、光源配置部１２１と平面視で重なる位置に、貫通孔１８０ａが設けられている。
【００５９】
配線基板１１０と光反射性シート１８０との間には、接着シート１９０が設けられている。接着シート１９０は、配線基板１１０及び光反射性シート１８０に接着している。接着シート１９０には、光源配置部１２１と平面視で重なる位置に、貫通孔１９０ａが設けられている。また、導光部材１２０と光反射性シート１８０との間にも接着シートを設けることもできる。
【００６０】
配線基板１１０の上面１１０ａのうち、光源配置部１２１内に位置し、かつ、光源１３０と接着シート１９０との間に位置する領域上には、例えば、光反射性部材１５０が設けられている。これにより、光源１３０から出射する光の一部が配線基板１１０に吸収されることを抑制でき、光源１３０の周囲における輝度の低下を低減できる。
【００６１】
光反射性部材１５０を設ける代わりに、光反射性シート１８０を導光部材１２０の光源配置部１２１内まで延在させてもよい。光源１３０の周囲における輝度の低下を低減できるとともに光反射性部材１５０を設けないことによって部材数を削減することができる。光反射性シート１８０は、平面視において光源１３０と重なる位置、すなわち、断面視において光源１３０と配線基板１１０との間まで延在するのが好ましい。
【００６２】
光反射性部材１５０は、光源１３０を囲んでいる。光反射性部材１５０は、例えば、光反射性材料を含む樹脂である。具体的には、光反射性部材１５０としては、光反射性材料として酸化チタンを含むシリコーン樹脂又はエポキシ樹脂等を用いることができる。
【００６３】
光源配置部１２１は、例えば、第１透光性部材１６０によって充填されている。第１透光性部材１６０は、光源１３０から出射した光に対する透光性を有する。第１透光性部材１６０の材料としては、例えば、エポキシ、シリコーン等の熱硬化性樹脂を用いることができる。特に光源１３０から出射した光が導光部材１２０に入射されやすくなるように、第１透光性部材１６０の材料は、導光部材１２０と同じ材料、又は光源１３０から出射した光に対する屈折率が導光部材１２０の屈折率よりも小さい材料を用いるのが好ましい。なお、第１透光性部材１６０は、波長変換粒子を含んでいてもよい。配線基板１１０に光源１３０と導光部材１２０を搭載した後に光源１３０からの発光色を測定した際に、所望の発光色からずれていても、波長変換粒子を含む第１透光性部材１６０を設けることで、所望の発光色になるように調整することができる。これにより、光源１３０を取り換える必要がなく、コストを抑えることができる。また、光源配置部１２１は、第１透光性部材１６０によって充填されておらず、中空であってもよい。
【００６４】
第１透光性部材１６０の上面は、第１光調整部材１７０によって覆われている。図３Ａ及び図４Ａでは、第１光調整部材１７０は、例えば、第１透光性部材１６０及び導光部材１２０に接しているが、第１透光性部材１６０のみに接していてもよい。
【００６５】
第１光調整部材１７０は、光源１３０から出射する光の一部を反射し、光源１３０から出射する光の他の一部を透過する。第１光調整部材１７０は、例えば、光反射性材料を含む樹脂である。具体的には、第１光調整部材１７０としては、光反射性材料として酸化チタンを含むシリコーン樹脂又はエポキシ樹脂等を用いることができる。
【００６６】
図２に示すように、平面視における第１光調整部材１７０の形状は、発光領域Ｓと略相似形状であり、四角形である。ただし、第１光調整部材１７０の形状はこれに限定されない。例えば、平面視における第１光調整部材１７０の形状は、発光領域Ｓと略相似形状でなくてもよい。また、平面視における第１光調整部材１７０の形状は、三角形又は六角形等の多角形であってもよいし、円形状であってもよい。
【００６７】
次に、本実施形態に係る面状光源１００の動作について説明する。
図５は、図２の４−４線における断面図であって、光源から出射する光の一例を示す断面図である。
図６は、図２の３−３線における断面図であって、光源から出射する光の一例を示す断面図である。
【００６８】
図５及び図６に示すように、発光素子１３１の上面から出射した光Ｌ１のうちの第１光Ｌ１ａは、例えば、第２光調整部材１３３及び第１光調整部材１７０を透過する。また、光Ｌ１のうちの第２光Ｌ１ｂは、例えば、第２光調整部材１３３を透過した後に、第１光調整部材１７０によって反射され、導光部材１２０の下面１２０ｂ又は光反射性部材１５０に向かう。また、光Ｌ１のうちの第３光Ｌ１ｃは、例えば、第２光調整部材１３３によって反射され、導光部材１２０の下面１２０ｂ又は光反射性部材１５０に向かう。
【００６９】
このように、第２光調整部材１３３及び第１光調整部材１７０は、光Ｌ１の一部を反射する。これにより、面状光源１００の光の照射領域において、光源１３０の直上に位置する領域の輝度が他の領域の輝度よりも高くなることを抑制できる。その結果、輝度ムラが生じることを抑制できる。
【００７０】
図５に示すように、光Ｌ１の第２光Ｌ１ｂの一部、光Ｌ１の第３光Ｌ１ｃの一部、及び発光素子１３１の側面から出射した光Ｌ２の一部は、例えば、光反射性部材１５０、第１光調整部材１７０、及び光反射性シート１８０のうちの１以上の部材によって反射された後、区画規定部１２３の第２部分１２５に到達する。第２部分１２５に到達した光の大部分が、区画部材１４０によって反射される。
【００７１】
図６に示すように、光Ｌ１の第２光Ｌ１ｂの他の一部、光Ｌ１の第３光Ｌ１ｃの他の一部、及び発光素子１３１の側面から出射した光Ｌ２の他の一部は、例えば、光反射性部材１５０、第１光調整部材１７０、及び光反射性シート１８０のうちの１以上の部材によって反射された後、区画規定部１２３の第１部分１２４に到達する。区画規定部１２３の第１部分１２４の透過率は、区画規定部１２３の第２部分１２５の透過率よりも高い。そのため、第１部分１２４を透過する光量は、第２部分１２５を透過する光量と比べて多い。これにより、第１部分１２４の近辺が暗部として目立つことを抑制できる。
【００７２】
面状光源１００は、例えば、液晶ディスプレイのバックライトに適用できる。複数の光源１３０毎に発光領域Ｓを区画したバックライトにおいては、各光源１３０の出力を個別に調整することでローカルディミングを高精度に行うことができる。
【００７３】
次に、本実施形態の効果について説明する。
本実施形態に係る面状光源１００は、光源１３０と、導光部材１２０と、区画部材１４０と、を備える。導光部材１２０は、内部に光源１３０が配置される光源配置部１２１と、光源配置部１２１を囲む溝１２２を含む区画規定部１２３と、を有する。区画部材１４０は、区画規定部１２３に設けられている。平面視において、区画規定部１２３における光源１３０の中心Ｃから最も遠い第１部分１２４の透過率は、区画規定部１２３における光源１３０の中心Ｃから最も近い第２部分１２５の透過率よりも高い。これにより、第１部分１２４の近辺が暗部として目立つことを抑制できる。その結果、区画規定部１２３における光源から最も遠い領域で暗部が目立つことを抑制でき、発光領域の輝度ムラが抑制される面状光源１００を実現できる。
【００７４】
また、第１部分１２４おいて溝１２２に設けられた区画部材１４０の断面積は、第２部分１２５において溝１２２に設けられた区画部材１４０の断面積よりも小さい。そのため、第１部分１２４の透過率を第２部分１２５の透過率よりも高くできる。
【００７５】
また、第１部分１２４には、区画部材１４０が設けられていない。すなわち、第１部分１２４は、導光部材１２０のみで構成される。そのため、第１部分１２４の近辺が暗部として目立つことを抑制できる。
【００７６】
また、区画規定部１２３は、第１方向（Ｙ方向）に延びる第１延伸部１２３ａと、
第１方向と交差する第２方向（Ｘ方向）に延びる第２延伸部１２３ｂと、第１延伸部１２３ａと第２延伸部１２３ｂを結合する結合部１２３ｃと、を有する。第１部分１２４は、結合部１２３ｃに位置する。第２部分１２５は、第１延伸部１２３ａに位置する。そのため、結合部１２３ｃの近辺が暗部として目立つことを抑制できる。
【００７７】
また、第１延伸部１２３ａと第２延伸部１２３ｂには区画部材１４０を設けるのに対し、結合部１２３ｃには、区画部材１４０が設けられていない。そのため、結合部１２３ｃの近辺を明るくすることができ、暗部として目立つことを広範囲で抑制できる。
【００７８】
本実施形態では、図２において、区画規定部１２３の４つの結合部１２３ｃのうち右上（光源１３０から＋Ｘ方向、＋Ｙ方向）に位置する結合部１２３ｃの近傍が暗部として目立つことを抑制できることを説明したが、４つの結合部１２３ｃすべてが、区画規定部１２３において光源から最も遠い地点であれば、４つの結合部１２３ｃすべての近辺において、暗部として目立つことを抑制することができる。以下の実施形態も同様である。
【００７９】
＜第１の実施形態の第１の変形例＞
次に、第１の実施形態の第１の変形例について説明する。
図７は、本変形例に係る面状光源を示す平面図である。
本変形例に係る面状光源２００は、区画部材２４０の構成において、第１の実施形態に係る面状光源１００と相違する。なお、以下の説明においては、原則として、第１の実施形態との相違点のみを説明する。以下に説明する事項以外は、第１の実施形態と同様である。
【００８０】
図７に示すように、第１溝部１２２ａは、互いに対向する第１側面２２６ａと、第２側面２２６ｂと、第１側面２２６ａと第２側面２２６ｂの間に位置する底面２２６ｃと、を有する。第１溝部１２２ａには、区画部材２４０が設けられている。区画部材２４０は、例えば、光反射性材料を含む樹脂である。
【００８１】
区画部材２４０は、第１側面２２６ａ上に、複数の第１隙間Ｄ１を設けて配列された第１光反射部２４１と、第２側面２２６ｂ上に、複数の第２隙間Ｄ２を設けて配列された第２光反射部２４２と、を有する。複数の第１隙間Ｄ１は、第２光反射部２４２に対向している。また、複数の第２隙間Ｄ２は、第１光反射部２４１に対向している。第２溝部１２２ｂにも同様に、第１光反射部２４１と第２光反射部２４２を有しても良い。
区画部材２４０は、図７のように、底面２２６ｃにも設けられ、第１光反射部２４１と第２光反射部２４２が一体化してもよい。区画部材２４０が底面２２６ｃに配置されず、第１光反射部２４１が第１隙間Ｄ１を介して複数個に分割されてもよい。同様に、第２光反射部２４２が第２隙間Ｄ２を介して複数個に分割されてもよい。
第１隙間Ｄ１のＹ方向における長さは、図７に示すように第２光反射部２４２のＹ方向における長さより短くてもよいし、第２光反射部２４２のＹ方向における長さと同じでもよい。同様に、第２隙間Ｄ２のＹ方向における長さは、図７に示すように第１光反射部２４１のＹ方向における長さより短くてもよいし、第１光反射部２４１のＹ方向における長さと同じでもよい。
【００８２】
次に、本変形例に係る面状光源２００の動作について説明する。以下、面状光源２００が、第１発光領域Ｓ１と、第１発光領域Ｓ１とＸ方向に隣り合う第２発光領域Ｓ２と、を有する例を説明する。
【００８３】
先ず、第１発光領域Ｓ１に位置する光源１３０、又は、第２発光領域Ｓ２に位置する光源１３０のいずれかを点灯した場合の作用効果を以下で説明する。ここでは、第１発光領域Ｓ１に位置する光源１３０を点灯させた場合を説明する。
【００８４】
第１発光領域Ｓ１に位置する光源１３０から出射した光の一部Ｌ４は、導光部材１２０内を進み、例えば、第１隙間Ｄ１を通過する。第１隙間Ｄ１を通過した光Ｌ４は、第２光反射部２４２によって反射される。そのため、光源１３０から出射した光Ｌ４に、溝１２２を透過させつつ、第２面状光源２００ｂに入射することを抑制できる。これにより、溝１２２の側面１２６ｂで区画しつつ、溝１２２においても明るくすることができる。溝１２２においても明るくすることができる。そのため、第１発光領域Ｓ１の外周の明るさを向上させることができる。
【００８５】
次に、第１発光領域Ｓ１に位置する光源１３０と第２発光領域Ｓ２に位置する光源１３０を同時に点灯した場合の作用効果を説明する。
【００８６】
第１発光領域Ｓ１に位置する光源１３０から出射した光の一部Ｌ４は、導光部材１２０内を進み、例えば、第１隙間Ｄ１を通過する。第１隙間Ｄ１を通過した光Ｌ４は、第２光反射部２４２によって反射される。
【００８７】
同様に、第２発光領域Ｓ２に位置する光源１３０から出射した光の一部Ｌ５は、導光部材１２０内を進み、例えば、第２隙間Ｄ２を通過する。第２隙間Ｄ２を通過した光Ｌ５は、第１光反射部２４１によって反射される。
【００８８】
第１発光領域Ｓ１に位置する光源１３０と第２発光領域Ｓ２に位置する光源１３０を同時に点灯する場合は、第１発光領域Ｓ１と第２発光領域Ｓ２との間の領域（溝１２２）も明るくし（溝１２２が暗部として目立つことを抑制し）、第１発光領域Ｓ１と第２発光領域Ｓ２とが一体化した発光領域にすることが要求される。本実施形態では、第１発光領域Ｓ１と第２発光領域Ｓ２との間に位置する溝１２２も明るくする（溝１２２が暗部として目立つことを抑制する）ことができ、第１発光領域Ｓ１と第２発光領域Ｓ２とが一体化した発光領域を得ることができる。
【００８９】
以上より、本実施形態の変形例の面状光源２００であれば、隣り合う発光領域Ｓのうちの一方の発光領域Ｓに位置する光源１３０のみを点灯させる場合は、溝１２２により光が隣の発光領域Ｓに入射しないように区画することができる。また、複数の発光領域Ｓの光源１３０を同時に点灯させる場合においても、発光領域Ｓの間に位置する溝１２２が暗部にならないように明るくすることができる。
【００９０】
各第１隙間Ｄ１のＹ方向の寸法は、同一でなくてもよい。同様に、各第２隙間Ｄ２のＹ方向の寸法は、同一でなくてもよい。例えば、第１隙間Ｄ１は、第１溝部１２２ａのＹ方向の端部に向かうほど大きくなってもよい。同様に、第２隙間Ｄ２は、第１溝部１２２ａのＹ方向の端部に向かうほど大きくなってもよい。これにより、溝１２２において暗部になりやすい領域（第１溝部１２２ａのＹ方向の端部）を明るくすることができる。
【００９１】
次に、本変形例の効果について説明する。
本変形例においては、区画規定部１２３の溝１２２は、互いに対向する第１側面１２６ａ及び第２側面１２６ｂを有する。区画部材２４０は、第１側面１２６ａ上に、間に第１隙間Ｄ１を設けて配列された複数の第１光反射部２４１と、第２側面１２６ｂ上に、間に第２隙間Ｄ２を設けて配列された複数の第２光反射部２４２と、を有する。第１隙間Ｄ１は、複数の第２光反射部２４２のうちの一つに対向している。第２隙間Ｄ２は、複数の第１光反射部２４１のうちの一つに対向している。これにより、複数の発光領域Ｓの光源１３０を同時に点灯させる場合は、発光領域Ｓの間に位置する溝１２２が暗部にならないように明るくすることができる。また、隣り合う発光領域Ｓのうちの一方の発光領域Ｓに位置する光源１３０のみを点灯させる場合は、溝１２２により光が隣の発光領域Ｓに入射しないように区画することができる。
【００９２】
＜第１の実施形態の第２の変形例＞
次に、第１実施形態の第２の変形例について説明する。
図８は、本変形例に係る面状光源を示す平面図である。
本変形例に係る面状光源３００は、溝３２２の構成において、第１の実施形態に係る面状光源１００と相違する。
【００９３】
導光部材１２０の上面１２０ａには、光源配置部１２１を囲む溝３２２が設けられている。溝３２２は、一つの光源１３０の周囲に、例えばＹ方向に延びる２つの第１溝部３２２ａと、Ｘ方向に延びる２つの第２溝部３２２ｂと、第１溝部３２２ａと第２溝部３２２ｂを結合する４つの結合溝部３２２ｃと、を有する。
【００９４】
第１延伸部３２３ａにおける溝の側面３２６ａと第２延伸部３２３ｂにおける溝の側面３２６ｂとを接続する結合部３２３ｃにおける溝の側面３２６ｃは、平面視において湾曲している。第１溝部３２２ａの側面３２６ａと、第２溝部３２２ｂの側面３２６ｂは、結合溝部３２２ｃの側面３２６ｃによって接続され、結合溝部３２２ｃの側面３２６ｃは、光源１３０から離れる方向に向かって凸状の湾曲面である。したがって、平面視における発光領域Ｓの形状は、角部が丸みを帯びた略四角形である。なお、本変形例において、結合溝部３２２ｃは、第１溝部３２２ａと第２溝部３２２ｂとに結合し、Ｘ方向とＹ方向に延伸した部分（一つの区画規定部３２３では、図８に示すようなＬ字状であり、区画規定部３２３が複数配列する場合では、十字状）である。
【００９５】
結合溝部３２２ｃの側面３２６ｃは湾曲しているため、結合溝部３２２ｃの側面３２６ｃを通過する光は屈折し、集光する。そのため、結合溝部３２２ｃの近辺の明るさを向上させ、結合溝部３２２ｃの近辺が暗部として目立つことを抑制できる。
【００９６】
区画規定部３２３は、溝３２２と導光部材１２０において溝３２２の直下に位置する部分と、からなる。具体的には、区画規定部３２３は、第１延伸部３２３ａと、第２延伸部３２３ｂと、結合部３２３ｃと、を有する。第１延伸部３２３ａは、第１溝部３２２ａ及び導光部材３２０において第１溝部３２２ａの直下の部分からなる。第２延伸部３２３ｂは、第２溝部３２２ｂ及び導光部材１２０において第２溝部３２２ｂの直下の部分からなる。結合部３２３ｃは、結合溝部３２２ｃ及び導光部材１２０において結合溝部３２２ｃの直下の部分からなる。
【００９７】
また、区画規定部３２３は、中心Ｃから最も遠い第１部分３２４と、中心Ｃから最も近い第２部分３２５と、を有する。
【００９８】
区画規定部３２３において中心Ｃから最も遠い位置Ｐ１は、対角方向Ｗにおいて隣接する他の面状光源３００の発光領域Ｓの角の頂点Ｓｔに位置する。そのため、第１部分３２４は、区画規定部３２３のうち最も遠い位置Ｐ１を含み、対角方向Ｗ及びＺ方向と直交する方向に厚みを有する部分である。
【００９９】
区画規定部３２３において中心Ｃから最も近い位置Ｐ２は、発光領域Ｓの外周縁上であって、平面視において中心Ｃを通るＸ方向（又はＹ方向）に平行な直線上に位置する。そのため、第２部分３２５は、区画規定部３２３のうち最も近い位置Ｐ２を含み、Ｙ方向に厚みを有する部分である。
【０１００】
区画部材１４０は、例えば、第１溝部３２２ａのＹ方向の両端部を除く部分、及び第２溝部３２２ｂのＸ方向の両端部を除く部分に設けられている。結合溝部３２２ｃには、区画部材１４０が設けられていない。そのため、第１部分３２４の透過性は、第２部分３２５の透過性よりも高い。
【０１０１】
次に、本変形例の効果について説明する。
第１の実施形態と同様に、本変形例においても第１部分３２４の透過率は、第２部分３２５の透過率よりも高い。そのため、面状光源３００の光の照射領域のうち第１部分の近辺が暗部として目立つことを抑制できる。
【０１０２】
また、第１延伸部３２３ａにおける溝３２２の側面３２６ａと第２延伸部３２３ｂにおける溝３２２の側面３２６ｂとを接続する結合溝部３２２ｃの側面３２６ｃは、平面視において湾曲している。そのため、面３２６ｃから出射した光は集光される。このため、結合部３２３ｃの近辺が暗部として目立つことをより一層抑制できる。
【０１０３】
＜第２の実施形態＞
次に、第２の実施形態について説明する。
図９は、本実施形態に係る面状光源を示す平面図である。
本実施形態に係る面状光源４００は、溝４２２の構成において第１の実施形態に係る面状光源１００と相違する。
【０１０４】
導光部材１２０の上面１２０ａには、光源配置部１２１を不連続に囲む溝４２２が設けられている。溝４２２は、一つの光源配置部１２１の周囲に、例えばＹ方向に延びる２つの第１溝部４２２ａと、Ｘ方向に延びる２つの第２溝部４２２ｂと、を有する。第１溝部４２２ａのＹ方向の端部と第２溝部４２２ｂのＸ方向の端部との間には、溝が設けられていない。すなわち、本実施形態においては導光部材１２０に結合溝部１２２ｃが設けられていない。
【０１０５】
溝４２２によって導光部材１２０の上面１２０ａは、複数の発光領域Ｓに区画される。発光領域Ｓは、上面１２０ａのうち、２つの第１溝部４２２ａと、２つの第２溝部４２２ｂと、第１溝部４２２ａのＹ方向の端面をＹ方向に仮想的に延長させ、第２溝部４２２ｂのＸ方向の端面をＸ方向に仮想的に延長させて、両者が交差する延長部４２２ｃと、によって囲まれた領域である。
【０１０６】
区画規定部４２３は、溝４２２と、導光部材１２０において溝４２２の直下に位置する部分と、導光部材１２０において平面視で延長部４２２ｃと重なる部分と、からなる。また、区画規定部４２３は、中心Ｃから最も遠い第１部分４２４と、中心Ｃから最も近い第２部分４２５と、を有する。
【０１０７】
区画規定部４２３において中心Ｃから最も遠い位置Ｐ１は、対角方向において隣接する他の面状光源１００の発光領域Ｓの角Ｓｃ上に位置する。そのため、第１部分４２４は、区画規定部４２３のうち、最も遠い位置Ｐ１を含み、対角方向Ｗ及びＺ方向と直交する方向に厚みを有する部分である。
【０１０８】
区画規定部４２３において中心Ｃから最も近い位置Ｐ２は、発光領域Ｓの外周縁上であって、平面視において中心Ｃを通るＸ方向（又はＹ方向）に平行な直線上に位置する。そのため、第２部分４２５は、区画規定部４２３のうち、最も近い位置Ｐ２を含み、Ｙ方向に厚みを有する部分である。
【０１０９】
区画部材１４０は、例えば、第１溝部４２２ａ及び第２溝部４２２ｂ内に充填されている。結合部４２３ｃ内には、溝４２２及び区画部材１４０が設けられていない。そのため、第１部分４２４の透過率は、第２部分４２５の透過率よりも高い。
【０１１０】
次に、本変形例の効果を説明する。
本変形例では、第１部分４２４に溝１２２が設けられていない。そのため、第１部分の近辺が暗部として目立つことをより一層抑制できる。
【０１１１】
＜第３の実施形態＞
次に、第３の実施形態について説明する。
図１０は、本実施形態に係る面状光源を示す平面図である。
図１１は、図１０の一部を拡大して示す平面図である。
図１２は、図１１の１２−１２線における断面図である。
図１３は、図１１の１３−１３線における断面図である。
図１４は、図１１の１４−１４線における断面図である。
本実施形態に係る面状光源５００は、溝５２２の構成において第１の実施形態に係る面状光源１００と相違する。
【０１１２】
図１０に示すように、導光部材１２０の上面１２０ａには、光源配置部１２１を連続的に囲む溝５２２が設けられている。溝５２２は、一つの光源配置部１２１の周囲に、例えばＹ方向に延びる２つの第１溝部５２２ａと、Ｘ方向に延びる２つの第２溝部５２２ｂと、第１溝部５２２ａと第２溝部５２２ｂを結合する４つの結合溝部５２２ｃと、を有する。
【０１１３】
図１１に示すように、第１溝部５２２ａの幅（Ｘ方向の寸法）は、例えば、Ｙ方向における位置が光源１３０から最も近い位置Ｐ２と同じとなる位置において最大であり、Ｙ方向における両端で最小である。同様に、第２溝部５２２ｂの幅（Ｙ方向の寸法）は、Ｘ方向における位置が光源１３０から最も近い位置と同じとなる位置において最大であり、Ｘ方向における両端で最小である。
【０１１４】
図１２に示すように、溝５２２の深さ（Ｚ方向の寸法）は、例えば、第１溝部５２２ａ内又は第２溝部５２２ｂ内において、最大となる。より具体的には、溝５２２の深さは、第１溝部５２２ａのＹ方向の中心位置又は第２溝部５２２ｂのＸ方向の中心位置において最大となる。また、溝５２２の深さは、例えば、結合溝部５２２ｃ内において最小となる。より具体的には、溝５２２の深さは、結合溝部５２２ｃのＸ方向又はＹ方向の中心位置において最小となる。このように、溝５２２の幅及び深さは一定でなくてもよい。溝５２２の幅及び深さは、例えば、テーパ付きのダイシングソー等の切削具の導光部材１２０への挿入する深さを調整することで変更できる。
【０１１５】
このように、溝５２２の深さがＸ方向の各位置及びＹ方向の各位置で異なる場合、配線基板１１０における配線層１１１は、溝５２２において深さが最大となる部分の直下を避けるように設けてもよい。このような構成によれば、溝５２２をダイシングソー等の切削具で形成する際に、配線層１１１が傷つくことを抑制できる。
【０１１６】
図１１に示すように、区画規定部５２３は、溝５２２と、導光部材１２０において溝５２２の直下に位置する部分と、からなる。区画規定部５２３は、第１延伸部５２３ａと、第２延伸部５２３ｂと、結合部５２３ｃと、を有する。第１延伸部４２３ａは、第１溝部５２２ａ及び導光部材１２０において第１溝部５２２ａの直下の部分からなる。第２延伸部５２３ｂは、第２溝部５２２ｂ及び導光部材１２０において第２溝部５２２ｂの直下の部分からなる。結合部５２３ｃは、結合溝部５２２ｃ及び結合溝部５２２ｃの直下の部分からなる。
【０１１７】
また、区画規定部５２３は、中心Ｃから最も遠い第１部分５２４と、中心Ｃから最も近い第２部分５２５と、を有する。
【０１１８】
区画規定部５２３のうち中心Ｃから最も遠い位置Ｐ１は、対角方向Ｗにおいて隣接する他の面状光源５００の発光領域Ｓの角Ｓｃ上に位置する。そのため、第１部分５２４は、区画規定部５２３のうち、最も遠い位置Ｐ１を含み、対角方向及びＺ方向と直交する方向に厚みを有する部分である。
【０１１９】
区画規定部５２３のうち中心Ｃから最も近い位置Ｐ２は、発光領域Ｓの外周縁上であって、平面視において中心Ｃを通るＸ方向（又はＹ方向）に平行な直線上に位置する。そのため、第２部分５２５は、区画規定部５２３のうち、最も近い位置Ｐ２を含むみ、Ｙ方向に厚みを有する部分である。
【０１２０】
図１３及び図１４に示すように、第１部分５２４の断面における溝５２２の深さは、第２部分５２５の断面における溝５２２の深さよりも小さい。「第１部分５２４の断面における溝５２２の深さ」とは、図１３に示す第１部分５２４の断面における溝５２２の深さの最大値ｄ１を指す。「第２部分５２５の断面における溝５２２の深さ」とは、図１４に示す第１部分５２４の断面における溝５２２の深さの最大値ｄ２を指す。
「第１部分５２４の断面」とは、光源１３０の中心Ｃと最も遠い位置Ｐ１とを含む断面（図１１の１３−１３線における断面）を意味する。「第２部分５２５の断面」とは、光源１３０の中心Ｃと最も近い位置Ｐ２とを含む断面（図１１の１４−１４線における断面）を意味する。
【０１２１】
また、図１３及び図１４に示すように、第１部分５２４における溝５２２の対向する側面同士の距離Ｗ１は、第２部分５２５における溝５２２の対向する側面同士の距離Ｗ２よりも小さい。「第１部分５２４における溝５２２の対向する側面同士の距離Ｗ１」は、図１３に示すように、第１部分５２４における溝５２２の対向する側面同士間の距離が最大となる距離である。「第２部分５２５における溝５２２の対向する側面同士の距離Ｗ２」は、図１４に示すように、第２部分５２５における溝５２２の対向する側面同士間の距離が最大となる距離である。距離とは、Ｚ方向と直交する方向の距離を意味する。
【０１２２】
そのため、第１部分５２４における溝５２２の断面積は、第２部分５２５における溝５２２の断面積よりも小さい。したがって、例えば、第１溝部５２２ａ、第２溝部５２２ｂ、及び結合溝部５２２ｃを区画部材１４０によって充填しても、第１部分５２４の透過率は、第２部分５２５の透過率よりも高い。「第１部分５２４における溝５２２の断面積」とは、中心Ｃと光源から最も近い位置Ｐ１とを含む断面（図１１の１３−１３線における断面）における溝５２２の面積を意味する。「第２部分５２５における溝５２２の断面積」とは、中心Ｃと光源から最も近い位置Ｐ２とを含む断面（図１１の１４−１４線における断面）における溝５２２の面積を意味する。
【０１２３】
次に、本実施形態の効果を説明する。
本実施形態では、第１部分５２４の断面における溝５２２の深さは、第２部分５２５の断面における溝５２２の深さよりも小さい。このため、第１部分５２４の近辺が暗部として目立つことを抑制できる。
【０１２４】
また、第１部分５２４の断面における溝５２２の対向する側面同士の距離Ｗ１は、第２部分５２５の断面における溝５２２の対向する側面同士の距離Ｗ２よりも小さい。このため、第１部分５２４の近辺が暗部として目立つことを抑制できる。
【０１２５】
また、第１部分５２４における溝５２２の断面積は、第２部分５２５における溝５２２の断面積よりも小さい。これにより、第１部分５２４の透過率を、第２部分５２５の透過率よりも高くできる。
【０１２６】
なお、上記実施形態では、溝５２２の幅及び深さの両方を変更したが、幅のみを変更してもよいし、深さのみを変更してもよい。
【０１２７】
＜第４の実施形態＞
次に、第４の実施形態について説明する。
図１５は、本実施形態に係る面状光源を示す平面図である。
図１６は、図１５の１６−１６線における断面図である。
本実施形態に係る面状光源６００は、区画規定部を備えない点で第１の実施形態に係る面状光源１００と相違する。
【０１２８】
図１５に示すように、面状光源６００においては、配線基板１１０に実装された光源１３０を不連続に囲むように区画部材６４１が設けられている。図１６に示すように、区画部材６４１は、例えば、光反射性シート１８０の上に設けられており、光反射性シート１８０に接している。
【０１２９】
図１５に示すように、区画部材６４１は、一つの光源１３０の周囲に、Ｙ方向に延びる２つの第１反射部６４１ａと、Ｘ方向に延びる２つの第２反射部６４１ｂと、を有する。第１反射部６４１ａと、第２反射部６４１ｂとは離れており、第１反射部６４１ａのＹ方向の端部と第２反射部６４１ｂのＸ方向の端部との間には区画部材６４１は設けられていない。以下、Ｙ方向に隣り合う第１反射部６４１ａと、Ｘ方向に隣り合う第２反射部６４１ｂと、によって囲まれ、区画部材６４１が設けられていない部分を「区画部材６４１の隙間」ともいう。
【０１３０】
区画部材６４１は、例えば、光反射性材料を含む樹脂である。具体的には、区画部材６４１としては、光反射性材料として酸化チタンを含むシリコーン樹脂又はエポキシ樹脂等を用いることができる。
【０１３１】
図１５及び図１６に示すように、光源１３０及び区画部材６４１を覆うように、導光部材６２０が設けられている。導光部材６２０は、後述する区画部材６４１を含む外周部６４０の内側（すなわち、後述する発光領域Ｓに対応する領域）に充填され、光源１３０を封止している。また、導光部材６２０は、区画部材６４１の隙間にも充填されている。また、導光部材６２０は、区画部材６４１の直上に設けられている。ただし、導光部材６２０は、区画部材６４１の隙間に充填されていなくてもよいし、区画部材６４１の直上に設けられていなくてもよい。
【０１３２】
以下、区画部材６４１を含み、光源１３０を囲む枠状の部分を「外周部６４０」といい、外周部６４０に囲まれた領域を「発光領域Ｓ」という。本実施形態では、区画部材６４１は、光源１３０を不連続に囲む。そのため、外周部６４０は、第１反射部６４１ａと、第２反射部６４１ｂと、第１反射部６４１ａのＹ方向の端面をＹ方向に仮想的に延長し、第２反射部６４１ｂのＸ方向の端面をＸ方向に仮想的に延長して、両者が交差する延長部６４１ｃと、からなる。本実施形態では、延長部６４１ｃには、導光部材６２０が充填されている。
【０１３３】
また、外周部６４０は、中心Ｃから最も遠い第１部分６２４と、中心Ｃから最も近い第２部分６２５と、を有する。
【０１３４】
外周部６４０において中心Ｃから最も遠い位置Ｐ１は、延長部６４１ｃの角Ｓｃ上に位置する。そのため、第１部分６２４は、外周部６４０のうち、最も遠い位置Ｐ１を含み、対角方向Ｗ及びＺ方向と直交する方向に厚みを有する部分である。
【０１３５】
外周部６４０において中心Ｃから最も近い位置Ｐ２は、第１反射部６４１ａにおいて導光部材６２０に接する面上であって、平面視において中心Ｃを通るＸ方向（又はＹ方向）に平行な直線上に位置する。そのため、第２部分６２５は、外周部６４０のうち、最も近い位置Ｐ２を含み、Ｙ方向に厚みを有する部分である。
【０１３６】
第１部分６２４には、区画部材６４１が設けられていないのに対し、第２部分６２５には、区画部材６４１が設けられている。そのため、第１部分４２４の透過率は、第２部分６２５の透過率よりも高い。
【０１３７】
次に、本実施形態の効果を説明する。
本実施形態に係る面状光源６００は、光源１３０と、光源１３０を囲み、区画部材６４１を含む外周部６４０と、を備える。光源１３０は、導光部材６２０によって覆われている。平面視において、外周部６４０における光源１３０の中心Ｃから最も遠い第１部分６２４の透過率は、外周部６４０における光源１３０の中心Ｃから最も近い第２部分６２５の透過率よりも高い。これにより、面状光源６００の光の照射領域のうち第１部分６２４の近辺が暗部として目立つことを抑制できる。その結果、外周部６４０における光源１３０から最も遠い部分で暗部が目立つことを抑制できる面状光源６００を実現できる。
【０１３８】
また、外周部６４０において、第１部分６２４には、区画部材６４１が設けられていない。そのため、第１部分６２４の近辺が暗部として目立つことを抑制できる。
【０１３９】
＜第４の実施形態の変形例＞
次に、第４の実施形態の変形例について説明する。
図１７は、本変形例に係る面状光源を示す平面図である。
図１８Ａは、図１７の１８Ａ−１８Ａ線における断面図である。
図１８Ｂは、図１７の１８Ｂ−１８Ｂ線における断面図である。
本実施形態に係る面状光源７００は、区画部材７４１の構成において第４の実施形態に係る面状光源６００と相違する。
【０１４０】
図１６に示すように、面状光源７００においては、光源１３０を囲む区画部材７４１が設けられている。区画部材７４１の直上には、導光部材６２０が設けられている。ただし、区画部材７４１の直上に導光部材６２０は設けられていなくてもよい。
【０１４１】
区画部材７４１は、Ｙ方向に延び、導光部材６２０と接する複数の第１反射部７４１ａと、Ｙ方向において隣り合う第１反射部７４１ａ同士を接続する接続部７４１ｃと、Ｘ方向に延びる複数の第２反射部７４１ｂと、を有する。
【０１４２】
図１８Ａに示すように接続部７４１ｃの厚み（Ｚ方向の寸法）は、第１反射部７４１ａの厚みよりも小さい。図１８Ｂに示すように、第２反射部７４１ｂは、例えば隣り合う接続部７４１ｃの間に配置されている。接続部７４１ｃの厚みは、第２反射部７４１ｂの厚みよりも小さい。第１反射部７４１ａの厚みは、第２反射部７４１ｂの厚みと略同一である。
【０１４３】
区画部材７４１は、例えば、光反射性材料を含む樹脂である。具体的には、区画部材７４１としては、光反射性材料として酸化チタンを含むシリコーン樹脂又はエポキシ樹脂等を用いることができる。
【０１４４】
図１７に示すように、外周部７４０は、２つの第１反射部７４１ａと、２つの第２反射部６４１ｂと、４つの接続部７４１ｃを含み、第１反射部７４１ａのＹ方向の端面をＹ方向に仮想的に延長し、第２反射部７４１ｂのＸ方向の端面をＸ方向に仮想的に延長し、両者が交差する延長部と、からなる。本実施形態では、延長部には、接続部７４１ｃ及び導光部材６２０が設けられている。
【０１４５】
また、外周部６４０は、中心Ｃから最も遠い第１部分７２４と、中心Ｃから最も近い第２部分７２５と、を有する。
【０１４６】
外周部７４０のうち中心Ｃから最も遠い位置Ｐ１は、接続部７４１ｃの角に位置する。そのため、第１部分７２４は、最も遠い位置Ｐ１を含み、対角方向及びＺ方向と直交する方向に厚みを有する部分である。
【０１４７】
外周部７４０のうち中心Ｃから最も近い位置Ｐ２は、第１反射部７４１ａにおいて導光部材６２０に接する面上であって、平面視において中心Ｃを通るＸ方向（又はＹ方向）に平行な直線上に位置する。そのため、第２部分７２５は、例えば、外周部７４０のうち、最も近い位置Ｐ２を含み、Ｙ方向に厚みを有する部分である。
【０１４８】
前述したように、接続部７４１ｃの厚みは、第１反射部７４１ａの厚み及び第２反射部７４１ｂの厚みよりも小さい。そのため、第１部分７２４における区画部材７４１の厚みは、第２部分７２５における区画部材７４１の厚みよりも小さい。そのため、中心Ｃと、最も遠い位置Ｐ１と、を含む断面における区画部材７４１の断面積は、中心Ｃと、最も近い位置Ｐ２と、を含む断面における区画部材７４１の断面積よりも小さい。そのため、第１部分７２４の透過率は、第２部分７２５の透過率よりも高い。
【０１４９】
次に、本変形例の効果を説明する。
本変形例に係る面状光源７００においては、第１部分７２４における区画部材７４１の厚みは、第２部分７２５における区画部材７４１の厚みよりも小さい。これにより、第１部分７２４の近辺が暗部として目立つことを抑制できる。
【０１５０】
また、中心Ｃと最も遠い位置Ｐ１とを含む断面における区画部材７４１の断面積は、中心Ｃと最も近い位置Ｐ２とを含む断面における区画部材７４１の断面積よりも小さい。これにより、第１部分７２４の透過率を第２部分７２５の透過率よりも高くできる。
【０１５１】
なお、上記複数の実施形態及び変形例では、区画規定部又は外周部が格子状である例を説明した。しかし、区画規定部又は外周部は、格子状でなくてもよい。例えば、区画規定部又は外周部は、発光領域が三角形や六角形等の四角形以外の多角形となるように設けられていてもよい。
【産業上の利用可能性】
【０１５２】
本発明は、例えば、バックライトに利用することができる。
【符号の説明】
【０１５３】
１００、２００、３００、４００、５００、６００、７００：面状光源
１１０：配線基板
１１０ａ：上面
１１０ｂ：下面
１１１：配線層
１１２、１１３：被覆層
１１４：パッド
１２０、３２０、６２０：導光部材
１２０ａ：上面
１２０ｂ：下面
１２１：光源配置部
１２２、３２２、４２２、５２２：溝
１２２ａ、３２２ａ、４２２ａ、５２２ａ：第１溝部
１２２ｂ、３２２ｂ、４２２ｂ、５２２ｂ：第２溝部
１２２ｃ、３２２ｃ、５２２ｃ：結合溝部
１２３、３２３、４２３、５２３：区画規定部
１２３ａ、３２３ａ、４２３ａ、５２３ａ：第１延伸部
１２３ｂ、３２３ｂ、４２３ｂ、５２３ｂ：第２延伸部
１２３ｃ、３２３ｃ、４２３ｃ、５２３ｃ：結合部
１２４、３２４、４２４、５２４、６２４、７２４：第１部分
１２５、３２５、４２５、５２５、６２５、７２５：第２部分
１２６ａ、１２６ｂ、２２６ａ、２２６ｂ、３２６ａ、３２６ｂ：側面
１２６ｃ、２２６ｃ：底面
１３０：光源
１３１：発光素子
１３１ａ：発光部
１３１ｂ、１３１ｃ：電極
１３２：第２透光性部材
１３３：第２光調整部材
１３４：被覆部材
１３５：接合部材
１４０、２４０、６４１、７４１：区画部材
１５０：光反射性部材
１６０：第１透光性部材
１７０：第１光調整部材
１８０：光反射性シート
１８０ａ：貫通孔
１９０：接着シート
１９０ａ：貫通孔
２４１：第１光反射部
２４２：第２光反射部
３２６ｃ：結合溝部の側面
４２２ｃ：延長部
６４０、７４０：外周部
６４１ａ、７４１ａ：第１反射部
６４１ｂ、７４１ｂ：第２反射部
６４１ｃ：延長部
７４１ｃ：接続部
Ｃ：光源の中心
Ｄ１：第１隙間
Ｄ２：第２隙間
Ｋ：空気層
Ｌ１、Ｌ１ａ、Ｌ１ｂ、Ｌ１ｃ、Ｌ２、Ｌ４、Ｌ５、ＬＡ、ＬＢ：光
Ｓ、Ｓ１、Ｓ２：発光領域
Ｓｃ：角
Ｓｔ：頂点
Ｗ：対角方向
ｄ１：第１部分の断面における溝の深さ
ｄ２：第２部分の断面における溝の深さ
Ｗ１：第１部分の断面における溝の対向する側面同士の距離
Ｗ２：第２部分の断面における溝の対向する側面同士の距離
【要約】
【課題】発光領域の輝度ムラが抑制される面状光源を提供する。
【解決手段】面状光源１００は、光源１３０と、内部に光源が配置される光源配置部１２１と、光源配置部を囲む溝１２２を含む区画規定部１２３と、を有する導光部材１２０と、区画規定部に配置され、光反射性の区画部材１４０と、を備え、平面視において、区画規定部における光源Ｃの中心から最も遠い第１部分１２４の透過率は、区画規定部における光源の中心から最も近い第２部分１２５の透過率よりも高い。
【選択図】図２【図１】
0006924958.tif 000002
【図２】
0006924958.tif 000003
【図３Ａ】
0006924958.tif 000004
【図３Ｂ】
0006924958.tif 000005
【図４Ａ】
0006924958.tif 000006
【図４Ｂ】
0006924958.tif 000007
【図５】
0006924958.tif 000008
【図６】
0006924958.tif 000009
【図７】
0006924958.tif 000010
【図８】
0006924958.tif 000011
【図９】
0006924958.tif 000012
【図１０】
0006924958.tif 000013
【図１１】
0006924958.tif 000014
【図１２】
0006924958.tif 000015
【図１３】
0006924958.tif 000016
【図１４】
0006924958.tif 000017
【図１５】
0006924958.tif 000018
【図１６】
0006924958.tif 000019
【図１７】
0006924958.tif 000020
【図１８Ａ】
0006924958.tif 000021
【図１８Ｂ】
0006924958.tif 000022